(57)【特許請求の範囲】
【請求項１】
平面視略卵型をなして旋回流により洗浄される便鉢部と、
前記便鉢部の外周側を覆う周囲壁部と、
前記便鉢部の上端部と前記周囲壁部の上端部とを連結するリム部と、
を備え、
前記便鉢部が、前記リム部の内周縁部から略垂直もしくは内外方向における内側に向かって垂下する立壁部を有し、
前記立壁部の内面に沿って旋回するように洗浄水を吐水する吐水口が設けられ、
前記便鉢部の前面側における前記リム部の内外方向の寸法が、前記便鉢部の左右両面側における前記リム部の内外方向の寸法よりも大きくされていることにより、前記便鉢部の前面側における前記周囲壁部の上端と前記立壁部の上端との内外方向の寸法が、前記便鉢部の左右両面側における前記周囲壁部の上端と前記立壁部の上端との内外方向の寸法よりも大きくされている水洗式便器。
【請求項２】
前記便鉢部の左右両面側における前記リム部の内外方向の寸法が、前後方向の略中心において最も小さくされるとともにそこから前方に向かって少しずつ大きくされている請求項１に記載の水洗式便器。
【発明の詳細な説明】
【技術分野】
【０００１】
本発明は、水洗式便器に関する。
【背景技術】
【０００２】
従来、便器を洗浄して汚物を排出する水洗式便器として、例えば下記特許文献１に記載のものが知られている。この水洗式便器は、便鉢部の後端寄りの位置に吐水口を設け、吐水口から吐水された洗浄水が、便鉢部の後面側を経由し前面側に至るように旋回しながら便鉢部を洗浄するものとしている。
【先行技術文献】
【特許文献】
【０００３】
【特許文献１】特開２０１３−４４１７６号公報
【発明の概要】
【発明が解決しようとする課題】
【０００４】
ところで、従来技術の水洗式便器は、前端部に向けて幅寸法が徐々に狭まる形状をなしており、便鉢部の前面側の曲率半径が小さくなっているため、洗浄水をスムーズに旋回させて十分な洗浄力を得ることが難しい。そこで、便鉢部の前面側の曲率半径を大きくすることが考えられるけれども、そのために水洗式便器の幅寸法を増すと、専用の便座が必要になるから望ましくなかった。
【０００５】
本発明は上記のような事情に基づいて完成されたものであって、洗浄水をスムーズに旋回させて十分な洗浄力を得ることが可能な水洗式便器を提供することを目的とする。
【課題を解決するための手段】
【０００６】
本発明の水洗式便器は、平面視略卵型をなして旋回流により洗浄される便鉢部と、前記便鉢部の外周側を覆う周囲壁部と、前記便鉢部の上端部と前記周囲壁部の上端部とを連結するリム部と、を備え、前記便鉢部が、前記リム部の内周縁部から略垂直もしくは内外方向における内側に向かって垂下する立壁部を有し、前記立壁部の内面に沿って旋回するように洗浄水を吐水する吐水口が設けられ、前記便鉢部の前面側における前記リム部の内外方向の寸法が、前記便鉢部の左右両面側における前記リム部の内外方向の寸法よりも大きくされていることにより、前記便鉢部の前面側における前記周囲壁部の上端と前記立壁部の上端との内外方向の寸法が、前記便鉢部の左右両面側における前記周囲壁部の上端と前記立壁部の上端との内外方向の寸法よりも大きくされているものである。
【発明の効果】
【０００７】
本発明によれば、水洗式便器の幅寸法を維持したまま、便鉢部の前面側の曲率半径を大きくすることで、洗浄水をスムーズに旋回させて十分な洗浄力を得ることができる。
【図面の簡単な説明】
【０００８】
【図１】本実施例における水洗式便器を示す斜視図
【図２】水洗式便器を示す平面図
【図３】水洗式便器を示す断面図であって、図２のＡ−Ａ位置における断面に相当する断面図
【図４】水洗式便器を示す断面図であって、図２のＢ−Ｂ位置における断面に相当する断面図
【発明を実施するための形態】
【０００９】
本発明の好ましい形態を以下に示す。
本発明の水洗式便器は、前記便鉢部の左右両面側における前記リム部の内外方向の寸法が、前後方向の略中心において最も小さくされるとともにそこから前方に向かって少しずつ大きくされているものとしてもよい。このような構成によれば、便鉢部の左右両面側の曲率半径を小さくすることができる。
【００１０】
＜実施例＞
以下、本発明を具体化した一実施例について、図１〜図４を参照しつつ詳細に説明する。
本実施例における水洗式便器１０は、便鉢部１１と、便鉢部１１の外周側を覆う周囲壁部１２と、これらの上端部を連結するリム部１３とを備えている。便鉢部１１、周囲壁部１２およびリム部１３は一体的に形成されている。
【００１１】
リム部１３は、便鉢部１１の前面側から左右両面側にわたり連続して設けられ、後端は上面壁部１４に連なっている。上面壁部１４は、水洗式便器１０の全幅にわたり略水平をなすように形成された壁である。上面壁部１４の後方（水洗式便器１０の後端部）には、洗浄タンク載置部１５が設けられている。なお、リム部１３の上面側には、図示しない便座が載置される。
【００１２】
便鉢部１１は、上方に開口するボウル形状をなしている。便鉢部１１は、リム部１３の内周縁部から略垂直もしくは内外方向における内側に向かって垂下する立壁部１６と、立壁部１６の下端から便鉢部１１の下部に設けられた凹部１７に向かって斜め下方に傾斜する傾斜壁部１８とを備えている。
【００１３】
便鉢部１１の上端周縁部には、洗浄水を吐水する吐水口１９が設けられている（図１参照）。吐水口１９は、便鉢部１１の後面側に設けられて前方に開口している。吐水口１９は、便鉢部１１の幅方向（左右方向）における中心よりも若干右側（水洗式便器１０に座る人から見て右側であって、図１における左側）に寄った位置に設けられてる。吐水口１９から吐水された洗浄水は、平面視において便鉢部１１内を反時計方向に旋回する旋回流を形成する。
【００１４】
水洗式便器１０は、便鉢部１１の下流側に連通した排水路２１を有している（図３参照）。排水路２１は、便鉢部１１の封水面Ｌよりも下方に設けられた流出口２２の下流側に連続して形成されている。
【００１５】
排水路２１は、流出口２２から斜め後方に下降する第１下降流路２３と、この第１下降流路２３の下流側に連続して形成され、斜め後方に上昇する上昇流路２４と、この上昇流路２４の下流側に連続して形成され、略垂直方向に下降する第２下降流路２５とを有している。第２下降流路２５の下端部は、下方に突出した形状とされ、図示しない排水接続管が接続可能とされている。
【００１６】
周囲壁部１２は、便鉢部１１の前面側から左右両側面側にわたって覆うとともに、便鉢部１１の下方に配された排水接続管等を内部に収容可能とされている。周囲壁部１２は、リム部１３の外周縁部から内外方向における内側に向かって垂下している（図４参照）。
【００１７】
さて、便鉢部１１の前面側におけるリム部１３の幅寸法（内外方向の寸法）は、便鉢部１１の左右両面側におけるリム部１３の幅寸法（内外方向の寸法）よりも大きくされている（図２参照）。
【００１８】
リム部１３のうち便鉢部１１の左右両側面側に位置する部分（以下、リム側面部２６と称する）における前後方向の略中心は、最も幅寸法が小さい小幅部２７とされている。そして、リム側面部２６のうち小幅部２７より前側の部分は、前方に向かって少しずつ幅寸法が大きくなり、リム側面部２６のうち小幅部２７より後側の部分は、後方に向かって少しずつ幅寸法が大きくなっている。
【００１９】
リム部１３のうち便鉢部１１の前面側に位置する部分（以下、リム前面部２８と称する）における左右方向の略中心は、最も幅寸法が大きい大幅部２９とされている。リム前面部２８のうち大幅部２９の左右両側の部分は、それぞれ左右両側方に向かって少しずつ幅寸法が小さくなっている。
【００２０】
便鉢部１１のうち前面側の部分（リム前面部２８に連結された部分）は、略同一の曲率半径ρ１を有して湾曲し、後面側の部分は、略同一の曲率半径ρ２を有して湾曲している。便鉢部１１の前面側の曲率半径ρ１は、従来の便鉢部の前面側の曲率半径よりも大きくされている。また、便鉢部１１の左右両面側の曲率半径ρ３は、従来の便鉢部の左右両側面の曲率半径よりも小さくされている。便鉢部１１の前面側の曲率半径ρ１は、後面側の曲率半径ρ２よりも若干小さくされ、便鉢部１１の左右両面側の曲率半径ρ３は、後面側の曲率半径ρ２より若干大きくされている。便鉢部１１の曲率半径ρ１，ρ２，ρ３は左右対称とされている。便鉢部１１の前面側の曲率半径ρ１を有する曲率円Ｃ１は、便鉢部１１の後面側の曲率半径ρ２を有する曲率円Ｃ２と、半分程度が重なって配される。そして、便鉢部１１は、従来よりも新円に近い形状をなして大きく開口している。
【００２１】
次に、上記のように構成された実施例の作用および効果について説明する。
本実施例の水洗式便器１０は、便鉢部１１と、便鉢部１１の外周側を覆う周囲壁部１２と、便鉢部１１の上端部と周囲壁部１２の上端部とを連結するリム部１３と、を備え、便鉢部１１の前面側におけるリム部１３の内外方向の寸法が、便鉢部１１の左右両面側におけるリム部１３の内外方向の寸法よりも大きくされている。
【００２２】
この構成によれば、水洗式便器１０の幅寸法を維持したまま、便鉢部１１の前面側の曲率半径ρ１を大きくするとともに左右両面側の曲率半径ρ３を小さくする、すなわち従来よりも便鉢部１１を円形に近い形状にすることができるから、洗浄水をスムーズに旋回させて十分な洗浄力を得ることができる。
【００２３】
そして、本実施例の水洗式便器１０は、従来の水洗式便器と同等の外形形状を維持しているから、専用の便座装置ではなく、従来と同じ便座装置を使用することができる。また、洗浄水をスムーズに旋回させることができるから、広い範囲にわたり洗浄することができる。
【００２４】
また、便鉢部１１が、リム部１３の内周縁部から略垂直もしくは内外方向における内側に向かって垂下する立壁部１６を有している。この構成によれば、リム部１３の下側に窪んだ部分が形成されないから、清掃しやすく、また汚れを視認しやすくすることができる。
【００２５】
＜他の実施例＞
本発明は上記記述及び図面によって説明した実施例に限定されるものではなく、例えば次のような実施例も本発明の技術的範囲に含まれる。
（１）上記実施例では、便鉢部１１の前面側の曲率半径ρ１が、後面側の曲率半径ρ２よりも若干小さくされているが、これに限らず、例えば便鉢部の前面側の曲率半径と、後面側の曲率半径とが同等であってもよい。
【符号の説明】
【００２６】
１０…水洗式便器
１１…便鉢部
１２…周囲壁部
１３…リム部
１６…立壁部
２６…リム側面部（便鉢部の左右両面側におけるリム部）
２８…リム前面部（便鉢部の前面側におけるリム部）
【図１】
0006452343.tif 000002
【図２】
0006452343.tif 000003
【図３】
0006452343.tif 000004
【図４】
0006452343.tif 000005